【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
二進データ（２４５）を解析する方法（１５０，２００）であって、
バリュー・パーサ（２０５）で、二進データ（２４５）を受け取ると共に、非差分解析法及び差分解析法の少なくとも一方を呼び出す解析要求（２５０）を受け取るステップ（１６５）と、
前記バリュー・パーサ（２０５）でメモリ内に最後の既知のデータ木（２７５）を記憶させるステップと、
解析木（２３５）を呼び出す（１７０）と共に、前記受け取った二進データ（２４５）を解析するための解析定義（２１５）を受け取るステップと、
前記解析木（２３５）で前記二進データ（２４５）を解析して（１７５）、前記解析定義（２１５）に従って値を定めると共に、データ・ビルダ（２６５）を呼び出して（２６０）、前記解析された値を管理するステップと、
前記値を、更新されたデータ木（２７５）に挿入するステップ（１８０）と、
前記バリュー・パーサ（２０５）で前記メモリから前記最後の既知のデータ木（２７５）を検索するステップと、
前記最後の既知のデータ木（２７５）からの前記データ木（２７５）における変更部分を含む差分木 （３００）を作成するステップと、を含んでおり、
オブジェクト（２７５，３００）を解析要求者（２５０）に戻す前記ステップが、前記差分木（３００）を前記解析要求者（２５０）へ戻すステップと、
前記更新されたデータ木（２７５）を前記最後の既知のデータ木（２７５）と比較するステップと、
差分解析法が呼び出されたことに応じて前記最後の既知のデータ木（２７５）から前記更新されたデータ木（２７５）への変更分を含む差分木（３００）を作成するステップと、
差分解析法が呼び出されたことに応じて前記差分木（３００）を解析要求者（２５０）へ戻すステップと、
を含み、
前記差分木（３００）が既存の通信線路を介しての改善されたデータ伝送を提供し、線路の帯域幅のアップグレードの必要性を無くす、方法（１５０，２００）
【請求項２】
前記バリュー・パーサと解析定義ファイルとの間で通信を開始し、該バリュー・パーサで解析定義ファイルを解析するステップと、
バリュー・パーサ・ハンドラで解析木を構築するステップと、
を含む、請求項１記載の方法（１５０，２００）。
【請求項３】
差分解析法を呼び出すステップと、
差分解析法が呼び出された場合に前記更新されたデータ木（２７５）を解析要求者（２５０）へ戻すステップと、
を含む、請求項１記載の方法（１５０，２００）。
【請求項４】
通信線路を介して伝送するための医学的二進データ（２４５）を解析する方法（１５０，２００）であって、
バリュー・パーサ（２０５）で、二進データ（２４５）を受け取ると共に、非差分解析法及び差分解析法の少なくとも一方を呼び出す解析要求（２５０）を受け取るステップ（１６５）と、
最後の既知のデータ木（２７５）をバリュー・パーサ（２０５）でメモリに記憶させるステップと、
解析木（２３５）を呼び出す（１７０）と共に、前記受け取った二進データ（２４５）を解析するための解析定義（２１５）を受け取るステップと、
前記解析木（２３５）で前記二進データ（２４５）を解析して（１７５）、前記解析定義（２１５）に従って値を定めると共に、データ・ビルダ（２６５）を呼び出して（１７５）、前記解析された値を管理するステップと、
前記値を、更新されたデータ木に挿入するステップ（１８０）と、
差分解析法が呼び出されたことに応じて前記バリュー・パーサ（２０５）で前記メモリから前記最後の既知のデータ木（２７５）を検索するステップと、
差分解析法が呼び出されたことに応じて前記更新されたデータ木（２７５）を前記最後の既知のデータ木（２７５）と比較するステップ（２９０）と、
差分解析法が呼び出されたことに応じて前記最後の既知のデータ木（２７５）から前記更新されたデータ木（２７５）への変更分を含む差分木（３００）を作成するステップ（２９５）と、
前記更新されたデータ木（２７５）又は前記差分木（３００）の少なくとも一方を解析要求者（２５０）へ戻すステップ（１８５）と、
を含み、
前記更新されたデータ木（２７５）又は前記差分木（３００）の少なくとも一方が既存の通信線路を介しての改善されたデータ伝送を提供し、線路の帯域幅のアップグレードの必要性を無くす、方法（１５０，２００）。
【請求項５】
二進データ（２４５）を解析するシステム（１００）であって、
ネットワーク（１２０）と通信関係にあり、且つ通信線路を介して伝送するための医学的二進データ（２４５）を解析する方法（１５０，２００）を実施するためのソフトウエアを持つ病院内コンピュータ・システム（１１０）を含んでおり、前記方法（１５０，２００）が下記のステップ、すなわち、
バリュー・パーサ（２０５）で、二進データ（２４５）を受け取ると共に、非差分解析法及び差分解析法の少なくとも一方を呼び出す解析要求（２５０）を受け取るステップ（１６５）と、
最後の既知のデータ木（２７５）をバリュー・パーサ（２０５）でメモリに記憶させるステップと、
解析木（２３５）を呼び出す（１７０）と共に、前記受け取った二進データ（２４５）を解析するための解析定義（２１５）を受け取るステップと、
前記解析木（２３５）で前記二進データ（２４５）を解析して（１７５）、前記解析定義（２１５）に従って値を定めると共に、データ・ビルダ（２６５）を呼び出して（２６０）、前記解析された値を管理するステップと、
前記値を、更新されたデータ木（２７５）に挿入するステップ（１８０）と、
差分解析法が呼び出された場合に前記バリュー・パーサ（２０５）で前記メモリから前記最後の既知のデータ木（２７５）を検索するステップと、
差分解析法が呼び出された場合に前記更新されたデータ木を前記最後の既知のデータ木（２７５）と比較するステップと、
差分解析法が呼び出された場合に前記最後の既知のデータ木（２７５）から前記更新されたデータ木（２７５）への変更分を含む差分木（３００）を作成するステップ（２９５）と、
前記更新されたデータ木（２７５）又は前記差分木（３００）の少なくとも一方を解析要求者（２５０）へ戻すステップ（１８５）と、
を含んでいることを特徴とするシステム（１００）。
【請求項６】
前記システムは更に、ネットワーク（１２０）を含んでおり、前記病院内コンピュータ・システム（１１０）は前記ネットワーク（１２０）と通信関係にある、請求項５記載のシステム（１００）。
【請求項７】
前記値を挿入する前記ステップ（１８０）は更に、プロトコル情報が埋め込まれていない更新されたデータ木（２７５）に前記値を挿入するステップを含んでおり、また、差分木（３００）を作成する前記ステップ（２９５）は更に、プロトコル情報が埋め込まれていない差分木（３００）を作成するステップ（２９５）を含んでいる、請求項５記載のシステム（１００）。
【請求項８】
前記システムは更に、ネットワーク（１２０）を含んでおり、前記病院内コンピュータ・システム（１１０）は前記ネットワーク（１２０）と通信関係にある、請求項７記載のシステム（１００）。
【請求項９】
二進データ（２４５）を解析する方法（２００）であって、
解析定義ファイル（２１５）を読み出すことによってバリュー・パーサ（２０５）を初期化（２１０）すると共に、解析定義（２１５）を表す解析木（２３５）を作成するステップと、
前記バリュー・パーサ（２０５）及び前記解析木（２３５）で基本データ要素又は非基本データ要素の少なくとも一方を持つ二進データ（２４５）入力を受け入れるステップ（２４０）と、
基本データ要素に応答してデータ・ビルダ（２６５）を呼び出す（２６０）と共に、基本データ要素を基本解析ノードでデータ木（２７５）に挿入するステップと、
非基本データ要素に応答してデータ・ビルダ（２６５）を呼び出す（２６０）と共に、非基本データ要素を非基本解析ノードで前記データ木（２７５）に挿入するステップと、
非差分データ木（２７５）又は差分木（３００）の少なくとも一方を確立して戻すステップ（２８５，３０５）と、
を含み、
前記更新されたデータ木（２７５）又は前記差分木（３００）の少なくとも一方が既存の通信線路を介しての改善されたデータ伝送を提供し、線路の帯域幅のアップグレードの必要性を無くす、方法（２００）。
【請求項１０】
二進データ（２４５）を解析するためのコンピュータ・プログラムを格納する、処理回路によって読出し可能である記憶媒体であって、該記憶媒体が処理回路によって実行するための以下の命令、すなわち、
バリュー・パーサ（２０５）で、二進データ（２４５）を受け取ると共に、非差分解析法又は差分解析法の少なくとも一方を呼び出す解析要求（２５０）を受け取る命令（２４０）と、
最後の既知のデータ木（２７５）をバリュー・パーサ（２０５）でメモリに記憶させる命令と、
解析木（２３５）を呼び出す（１７０）と共に、受け取った二進データ（２４５）を解析するための解析定義（２１５）を受け取る命令と、
前記解析木（２３５）で前記二進データ（２４５）を解析して（１７５）、前記解析定義（２１５）に従って値を定めると共に、データ・ビルダ（２６５）を呼び出して（２６０）、解析された値を管理する命令と、
前記値を、更新されたデータ木（２７５）に挿入する命令（１８０）と、
差分解析法が呼び出された場合に前記バリュー・パーサ（２０５）で前記メモリから前記最後の既知のデータ木（２７５）を検索する命令と、
差分解析法が呼び出された場合に前記更新されたデータ木を前記最後の既知のデータ木（２７５）と比較する命令（２９０）と、
差分解析法が呼び出された場合に前記最後の既知のデータ木（２７５）から前記更新されたデータ木への変更分を含む差分木（３００）を作成する命令（２９５）と、
前記更新されたデータ木（２７５）又は差分木（３００）の少なくとも一方を解析要求者（２５０）に戻す命令（２８５，３０５）と
を記憶していること、を特徴とする記憶媒体。